(57)【要約】【課題】  レンズ９の外周の平面部９ａの反射光による画像品質の劣化を改善することを目的とする。【解決手段】  陰極線管１のフェースパネル８と拡大投写系のレンズ９との間にこの陰極線管１及びこのレンズ９を固定するハウジング１０を設け、このハウジング１０内に冷却液１１を封入するようにした液冷型陰極線管装置において、ハウジング１０に固定されたレンズ９の外周の平面部９ａの入射側面９ｂ又は入出射側両面９ｂ，９ｃに梨地処理を施すと共に黒色に着色したものである。【選択図】      図１
2005032658.tif 000002
【特許請求の範囲】
【請求項１】
陰極線管のフェースパネルと拡大投写系のレンズとの間に前記陰極線管及び前記レンズを固定するハウジングを設け、該ハウジング内に冷却液を封入するようにした液冷型陰極線管装置において、
前記ハウジングに固定された前記レンズの外周の平面部の入射側面又は入出射側両面に梨地処理を施すと共に黒色に着色したことを特徴とする液冷型陰極線管装置。
【請求項２】
陰極線管のフェースパネルと拡大投写系のレンズとの間に前記陰極線管及び前記レンズを固定するハウジングを設け、該ハウジング内に冷却液を封入するようにした液冷型陰極線管装置を用いた投写型テレビジョン装置において、
前記液冷型陰極線管装置の前記ハウジングに固定された前記レンズの外周の平面部の入射側面又は入出射側両面に梨地処理を施すと共に黒色に着色したことを特徴とする投写型テレビジョン装置。
【請求項３】
陰極線管のフェースパネルと拡大投写系のレンズとの間に前記陰極線管及び前記レンズを固定するハウジングを設け、該ハウジング内に冷却液を封入するようにした液冷型陰極線管装置において、
前記ハウジングに固定された前記レンズの外周の平面部の入射側面又は入出射側両面に光吸収部材を設けたことを特徴とする液冷型陰極線管装置。
【請求項４】
陰極線管のフェースパネルと拡大投写系のレンズとの間に前記陰極線管及び前記レンズを固定するハウジングを設け、該ハウジング内に冷却液を封入するようにした液冷型陰極線管装置を用いた投写型テレビジョン装置において、
前記液冷型陰極線管装置の前記ハウジングに固定された前記レンズの外周の平面部の入射側面又は入出射側両面に光吸収部材を設けたことを特徴とする投写型テレビジョン装置。
【請求項５】
陰極線管のフェースパネルと拡大投写系のレンズとの間に前記陰極線管及び前記レンズを固定するハウジングを設け、該ハウジング内に冷却液を封入するようにした液冷型陰極線管装置において、
前記ハウジングに固定された前記レンズの外周の平面部を光吸収材を混入した部材により形成したことを特徴とする液冷型陰極線管装置。
【請求項６】
陰極線管のフェースパネルと拡大投写系のレンズとの間に前記陰極線管及び前記レンズを固定するハウジングを設け、該ハウジング内に冷却液を封入するようにした液冷型陰極線管装置を用いた投写型テレビジョン装置において、
前記液冷型陰極線管装置の前記ハウジングに固定された前記レンズの外周の平面部を光吸収材を混入した部材により形成したことを特徴とする投写型テレビジョン装置。
【発明の詳細な説明】
【技術分野】
【０００１】
本発明は投写型テレビジョン装置に使用される液冷型陰極線管装置及び投写型テレビジョン装置に関する。
【背景技術】
【０００２】
従来、大画面のスクリーン上に画像を拡大投写する投写型テレビジョン装置が提案されている。この投写型テレビジョン装置の例として図５に示す如きものがある。この図５例においては、キャビネット２内の上側前面にスクリーン３が嵌め込まれ、このキャビネット２内の上部後面にはスクリーン３と対向する位置に反射ミラー４が配設されている。
【０００３】
この反射ミラー４の面と対向するように投写管としての液冷型陰極線管装置５が配設される。この液冷型陰極線管装置５から投写した投写光６は反射ミラー４で反射し、スクリーン３に入射して、所定画像をスクリーン３に投写することでスクリーン３の前面から投写画面を見ることができる。
【０００４】
この投写型テレビジョン装置に用いる液冷型陰極線管装置５の構成は図６に示す如く構成されている（特許文献１参照）。図６では陰極線管１のフェースパネル８と拡大投写系の最終のレンズ９との間にこの陰極線管１及びレンズ９を固定するハウジング１０が設けられ、このハウジング１０内に冷却液１１を封入する如くする。
【０００５】
この冷却液１１はフェースパネル８とレンズ９との間に配されている。このハウジング１０には冷却液１１の圧力を制御するダイアフラム１２が配設されている。１３はレンズ９の外周に設けられた平面部９ａの支持用のレンズプレートであり、このレンズプレート１３の前方に拡大投写系のレンズ装置を構成する鏡筒１４を固定する如くする。
【特許文献１】特開平１０−３０２６７９号公報
【発明の開示】
【発明が解決しようとする課題】
【０００６】
ところで、従来のこの液冷型陰極線管装置５のレンズ９の外周の平面部９ａの入射側面９ｂ及び出射側面９ｃの表面は光沢面となっている。このため陰極線管１から出力される光の一部が冷却液１１と、このレンズ９の外周の平面部９ａの入射側面９ｂとの境界面で反射され、その反射光は陰極線管１のフェースパネル８に戻り、蛍光体で拡散されて蛍光面が光り、その映像が前方のスクリーン３に投写されて、スクリーン３上におけるコントラストを悪化し、画像品質を著しく損ねる不都合があった。
【０００７】
本発明は斯る点に鑑み、レンズ９の外周の平面部９ａの反射光による画像品質の劣化を改善することを目的とする。
【課題を解決するための手段】
【０００８】
本発明液冷型陰極線管装置は、陰極線管のフェースパネルと拡大投写系のレンズと間にこの陰極線管及びこのレンズを固定するハウジングを設け、このハウジング内に冷却液を封入するようにした液冷型陰極線管装置において、このハウジングに固定されたこのレンズの外周の平面部の入射側面又は入出射側両面に梨地処理を施すと共に黒色に着色したものである。
【０００９】
斯かる本発明によれば、レンズの外周の平面部の入射側面又は入出射側両面に梨地処理を施すと共に黒色に着色したので、このレンズの外周の平面部の入射側面又は入出射側両面よりの反射光を減少することができ、それだけ画像品質の劣化を改善することができる。
【００１０】
本発明投写型テレビジョン装置は、陰極線管のフェースパネルと拡大投写系のレンズとの間にこの陰極線管及びこのレンズを固定するハウジングを設け、このハウジング内に冷却液を封入するようにした液冷型陰極線管装置を用いた投写型テレビジョン装置において、この液冷型陰極線管装置のハウジングに固定されたこのレンズの外周の平面部の入射側面又は入出射側両面に梨地処理を施すと共に黒色に着色したものである。
【００１１】
斯かる本発明によれば、レンズの外周の平面部の入射側面又は入出射側両面に梨地処理を施すと共に黒色に着色したので、このレンズの外周の平面部の入射側面又は入出射側両面よりの反射光を減少することができ、それだけ画像品質の劣化を改善することができる。
【００１２】
本発明液冷型陰極線管装置は、陰極線管のフェースパネルと拡大投写系のレンズとの間にこの陰極線管及びこのレンズを固定するハウジングを設け、このハウジング内に冷却液を封入するようにした液冷型陰極線管装置において、このハウジングに固定されたこのレンズの外周の平面部の入射側面又は入出射側両面に光吸収部材を設けたものである。
【００１３】
斯かる本発明によれば、レンズの外周の平面部の入射側面又は入出射側両面に光吸収部材を設けたので、このレンズの外周の平面部の入射側面又は入出射側両面よりの反射光を減少することができ、それだけ画像品質の劣化を改善することができる。
【００１４】
本発明投写型テレビジョン装置は、陰極線管のフェースパネルと拡大投写系のレンズとの間にこの陰極線管及びこのレンズを固定するハウジングを設け、このハウジング内に冷却液を封入するようにした液冷型陰極線管装置を用いた投写型テレビジョン装置において、この液冷型陰極線管装置のハウジングに固定されたこのレンズの外周の平面部の入射側面又は入出射側両面に光吸収部材を設けたものである。
【００１５】
斯かる本発明によれば、レンズの外周の平面部の入射側面又は入出射側両面に光吸収部材を設けたので、このレンズの外周の平面部の入射側面又は入出射側両面よりの反射光を減少することができ、それだけ画像品質の劣化を改善することができる。
【００１６】
本発明液冷型陰極線管装置は、陰極線管のフェースパネルと拡大投写系のレンズとの間にこの陰極線管及びこのレンズを固定するハウジングを設け、このハウジング内に冷却液を封入するようにした液冷型陰極線管装置において、このハウジングに固定されたこのレンズの外周の平面部を光吸収材を混入した部材により形成したものである。
【００１７】
斯かる本発明によれば、レンズの外周の平面部を光吸収材を混入した部材により形成したので、このレンズの外周の平面部面よりの反射光を減少することができ、それだけ画像品質の劣化を改善することができる。
【００１８】
本発明投写型テレビジョン装置は、陰極線管のフェースパネルと拡大投写系のレンズとの間にこの陰極線管及びこのレンズを固定するハウジングを設け、このハウジング内に冷却液を封入するようにした液冷型陰極線管装置を用いた投写型テレビジョン装置において、この液冷型陰極線管装置のこのハウジングに固定されたこのレンズの外周の平面部を光吸収材を混入した部材により形成したものである。
【００１９】
斯かる本発明によれば、レンズの外周の平面部を光吸収材を混入した部材により形成したので、このレンズの外周の平面部面よりの反射光を減少することができ、それだけ画像品質の劣化を改善することができる。
【発明の効果】
【００２０】
本発明によれば、レンズの外周の平面部面よりの反射光を減少することができ、画像品質の劣化を改善することができる。
【発明を実施するための最良の形態】
【００２１】
以下、図１及び図５を参照して、本発明液冷型陰極線管装置及び投写型テレビジョン装置の実施の形態の例につき説明する。図１において、図６に対応する部分には同一符号を付して示す。
【００２２】
図５に示す如き、本例による投写型テレビジョン装置に使用される本例による液冷型陰極線管装置５につき図１を参照して説明する。図１は本例による液冷型陰極線管装置５の一部切欠側断面図を示す。
【００２３】
本例によるカラーの投写型テレビジョン装置に用いる赤（Ｒ）、緑（Ｇ）、青（Ｂ）の３つの液冷型陰極線管装置５の陰極線管１は夫々Ｒ，Ｇ，Ｂの蛍光体をフェースパネル８の内面に沈澱法等で全面形成して蛍光面が形成されている。
【００２４】
また、この陰極線管１の明るさは通常のカラー陰極線管の２０倍以上必要とすることと、投入電力の９０％以上が熱エネルギーに変換されるため高負荷に耐える放熱構造が必要となる。
【００２５】
図１例では、陰極線管１のフェースパネル８の前面と拡大投写系の最終レンズ９との間にこの陰極線管１及びレンズ９を固定するハウジング１０が設けられ、このハウジング１０内に冷却液１１を封入する如くする。この冷却液１１としてはエチレングリコール等が用いられる。
【００２６】
この冷却液１１はフェースパネル８とレンズ９との間に配されている。このハウジング１０には冷却液１１の圧力を制御する圧力調整弁であるダイアフラム１２が配設されている。このダイアフラム１２は冷却液１１が高温となったとき膨張した際の圧力を自動的に調整するための調整弁である。
【００２７】
このレンズ９はこのレンズ９の外周に所定幅の平面部９ａを有し、このレンズ９はこのレンズ９の平面部９ａをレンズプレート１３を介して、このハウジング１０に例えば螺着固定される。この場合レンズ９の平面部９ａの入射側面９ｂとハウジング１０との間に気密性を得るためＯリング（図示せず）が設けられる。
【００２８】
本例においては、このレンズ９の平面部９ａの入射側面９ｂを梨地処理し、この入射側面９ｂを梨地処理面とすると共に、この面に例えば墨又はつやけし黒色ラッカーを塗布し黒色に着色する如くする。その他は従来と同様に構成する。
【００２９】
本例によれば、レンズ９の外周の平面部９ａの入射側面９ｂを梨地処理を施すと共に黒色に着色したので、陰極線管１よりの光の一部がこのレンズ９の外周の平面部９ａの入射側面９ｂに照射されても、この入射側面９ｂの梨地処理面が黒色の着色によりこの光を吸収及び乱反射し、このレンズ９の外周の平面部９ａの入射側面９ｂより反射してこの陰極線管１のフェースパネル８に戻る光は極めて少なくできる。
【００３０】
従って本例による液冷型陰極線管装置５を用いて図５に示す如き投写型テレビジョン装置を構成したときにはスクリーン３におけるコントラストの低下が極めて少なく、それだけ画像品質の劣化を改善することができる。
【００３１】
また、図２、図３及び図４は夫々本発明の実施の形態の他の例を示す。この図２、図３及び図４につき説明するに、図１に対応する部分には同一符号を付し、その詳細説明は省略する。
【００３２】
図２例は、図１例においてこのレンズ９の外周の平面部９ａの入射側面９ｂの他に出射側面９ｃ及びこのレンズ９の外周の平面部９ａの外周面に梨地処理を施すと共に例えば墨又はつやけし黒色ラッカーを塗布し黒色に着色するようにしたものである。その他は図１例と同様に構成する。
【００３３】
斯る図２例においては図１例と同様の作用効果があると共に更にこのレンズ９の外周の平面部９ａの出射側面９ｃも梨地処理面及び黒色に着色したので、鏡筒１４の内部反射による光線は、この出射側面９ｃで拡散及び吸収されることにより当該部からの不要光を防止できる。
【００３４】
図３例は図１例において、レンズ９の外周の平面部９ａの入射側面９ｂに光吸収部材２０を設けたものである。この光吸収部材２０としては例えばカーボンが混入されたつやけしフィルムを用い、このつやけしフィルムをレンズ９の外周の平面部９ａの入射側面９ｂに貼り付ける如くする。この場合、このつやけしフィルム２０の光の屈折率を冷却液１１の屈折率例えば１．４１とほぼ同じものを使用するを可とする。この図３例はその他は図１例と同様に構成する。
【００３５】
斯る図３例においても図１例同様の作用効果が得られることは容易に理解できよう。
【００３６】
また図３例において、このレンズ９の外周の平面部９ａの出射側面９ｃ及びこのレンズ９の外周の外周面にもこの光吸収部材であるつやけしフィルム２０を貼り付けるようにしても良いことは勿論である。
【００３７】
この場合図２例同様の作用効果が得られることは容易に理解できよう。
【００３８】
図４例は、図１例において、このレンズ９の外周の平面部９ａを光吸収材例えばカーボンが混入された樹脂で形成する所謂このレンズ９のレンズ部と平面部９ａとを二色成形により形成する。この場合、この平面部９ａの光の屈折率を冷却液１１の屈折率例えば１．４１とほぼ同じものとする。この図４例は、その他は図１例と同様に構成する。
【００３９】
斯る図４例においても上述例同様の作用効果が得られることは容易に理解できよう。
【００４０】
上述図２、図３、図４例等の液冷型陰極線管装置５も図５に示す如き投写型テレビジョン装置に適用できる。この場合、スクリーン３に投写される画像のコントラストの劣化が改善され、画像品質の劣化が改善される。
【００４１】
尚、本発明は上述例に限ることなく本発明の要旨を逸脱することなく、その他種々の構成が採り得ることは勿論である。
【図面の簡単な説明】
【００４２】
【図１】本発明液冷型陰極線管装置の実施の形態の例を示す一部切欠側断面図である。
【図２】本発明液冷型陰極線管装置の実施の形態の他の例を示す一部切欠側断面図である。
【図３】本発明液冷型陰極線管装置の実施の形態の他の例を示す一部切欠側断面図である。
【図４】本発明液冷型陰極線管装置の実施の形態の他の例を示す一部切欠側断面図である。
【図５】投写型テレビジョン装置の例を示す模式図である。
【図６】従来の液冷型陰極線管装置の例を示す一部切欠側断面図である。
【符号の説明】
【００４３】
１‥‥陰極線管、３‥‥スクリーン、４‥‥反射ミラー、５‥‥液冷型陰極線管装置、９‥‥レンズ、９ａ‥‥平面部、９ｂ‥‥入射側面、９ｃ‥‥出射側面、１０‥‥ハウジング、１１‥‥冷却液、１２‥‥ダイアフラム、１３‥‥レンズプレート、１４‥‥鏡筒
【図１】
2005032658.tif 000003
【図２】
2005032658.tif 000004
【図３】
2005032658.tif 000005
【図４】
2005032658.tif 000006
【図５】
2005032658.tif 000007
【図６】
2005032658.tif 000008